(57)【要約】【課題】キャリア基板表面の凹凸の高さが所定の高さを超え、接触不良を生じさせる問題を回避できる製造方法を提供する。【解決手段】半導体チップ上に設けた金属突起電極と、キャリア基板上に設けた電極とを接合し、キャリア基板上に半導体チップを実装する半導体装置の製造方法において、実装工程前に、キャリア基板表面の凹凸の高さを、位相シフト法により検出し、得られた検出値と予め設定した基準値とを比較することにより、検出値が基準値を超える部分を識別し、識別されたキャリア基板表面には半導体チップを実装しないように構成したものである。【選択図】    図１
2004158587.tif 000002
【特許請求の範囲】
【請求項１】
半導体チップ上に設けた金属突起電極と、キャリア基板上に設けた電極とを接合し、キャリア基板上に半導体チップを実装する半導体装置の製造方法において、
前記実装工程前に、前記キャリア基板表面の凹凸の高さを、位相シフト法により検出し、得られた検出値と予め設定した基準値とを比較することにより、前記検出値が前記基準値を超える部分を識別し、該識別されたキャリア基板表面には前記半導体チップを実装しないことを特徴とする半導体装置の製造方法。
【請求項２】
請求項１記載の半導体装置の製造方法において、前記検出値が前記基準値を超える前記キャリア基板表面に不適合認識マークを付し、該不適合認識マークが付されたキャリア基板表面には、前記半導体チップを実装しないことを特徴とする半導体装置の製造方法。
【発明の詳細な説明】
【０００１】
【発明の属する技術分野】
本発明は、キャリア基板上に、ＩＣチップ等の半導体チップをフリップチップ接合により実装する半導体装置の製造方法に関する。
【０００２】
【従来の技術】
図３は、従来のフリップチップ実装タイプの半導体装置の断面図である。図中１は半導体チップ、２は金属バンプ（金属突起電極）、３はキャリア基板、４はキャリア基板３上に設けられた電極、５は封止樹脂である。
【０００３】
このような構造の半導体装置は概略次のように形成される。まず集積回路等が形成された半導体チップ１上に、Ａｕ等よりなる金属バンプ２を形成する。一方、キャリア基板３が集合した基板上には、Ｗ／Ｎｉ／Ａｕ等の多層の金属層よりなる電極４を形成しておく。
【０００４】
半導体チップ１上の金属バンプ２を基板の電極４と接触させ、適当な接合条件（温度、荷重、超音波印加等）下で、金属バンプ２と電極４を接合させる。その後、基板表面を封止樹脂５で被覆する。このように複数個の半導体チップが実装した基板は、封止樹脂と基板を切断することで、個々の半導体装置に個片化され、半導体装置の製造が完了する。
【０００５】
ここで、キャリア基板表面は、必ずしも平坦ではない。例えば焼結体からなるフリップチップ実装用回路基板では、表面の平滑度が数１０〜１００μｍ程度の凹凸があり、接続不良の問題が発生することが知られている（特許文献１参照）。また、キャリア基板表面の平坦性は保たれていたとしても、基板表面にゴミなどが付着し、それが原因で金属バンプ２と電極４との接触不良が発生する場合がある。即ち、半導体チップ１に設けられている金属バンプ２の高さより、上記突起部６が高くなると、金属バンプ２が電極層４に届かなくなり、接合不良が発生してしまう。
【０００６】
【特許文献１】
特開２００１−１０２４０８号公報（図３参照）
【０００７】
【発明が解決しようとする課題】
このようにフリップチップ実装工程においては、キャリア基板３表面に基板自体の凹凸やゴミなどによる突起部などの凹凸が存在し、その高さが所定の高さを超えると、接触不良の問題が発生してしまう。本発明は、上記問題点を解消し、フリップチップ実装工程における上記不良を回避できる製造方法を提供するものである。
【０００８】
【課題を解決するための手段】
上記問題点を解消するため請求項１に係る発明は、半導体チップ上に設けた金属突起電極と、キャリア基板上に設けた電極とを接合し、キャリア基板上に半導体チップを実装する半導体装置の製造方法において、前記実装工程前に、前記キャリア基板表面の凹凸の高さを、位相シフト法により検出し、得られた検出値と予め設定した基準値とを比較することにより、前記検出値が前記基準値を超える部分を識別し、該識別されたキャリア基板表面には前記半導体チップを実装しないことを特徴とするものである。
【０００９】
請求項２に係る発明は、請求項１記載の半導体装置の製造方法において、前記検出値が前記基準値を超える前記キャリア基板表面に不適合認識マークを付し、該不適合認識マークが付されたキャリア基板表面には、前記半導体チップを実装しないことを特徴とするものである。
【００１０】
【発明の実施の形態】
図１は、本発明の実施の形態の説明図である。図中、３はキャリア基板、４は電極、６はキャリア基板３上に付着したゴミ等の突起部、７はスリット光光源、８は検出器、９はスリット光光源７、検出器８及びマーキング機のコントローラ、１０はマーキング機である。また、図２は、本発明の製造方法のフリップチップ実装工程を模式的に示したフローチャートである。
【００１１】
本発明では図２に示すように実装工程前に、キャリア基板検査（キャリア検査）の工程を設けている。キャリア基板検査で基板表面の凹凸の検査を行う場合、検出精度が高いことと、検出速度が速いことが好ましい。なぜなら通常の半導体装置では、フリップチップ実装後の半導体チップ１とキャリア基板３との隙間は１０μｍ程度であるため、フリップチップ実装を阻害する大きさの突起部６を検出するためには、１μｍ程度の高い精度が要求されるからである。また、近年のフリップチップボンダは、超音波を使うことにより飛躍的に高速化しており、半導体チップ１個の実装時間は２秒／個以下である。このように実装スピードが高速化しているため、フリップチップ実装の連続動作を阻害させないためには、検出速度はフリップチップ実装の速度以上に速くするのが望ましいからである。
【００１２】
そこで本発明では上記の条件を満たすものとして、光学測定による位相シフト法を用いることとした。位相シフト法とは、以下のような方法である。光源と被測定物との間にスリットを介在させたスリット光光源７から、被測定物（キャリア基板３）にスリット光を照射する。その結果、被測定物に縞模様が投影されるが、この縞模様を被測定物の垂直上面から見ると、被測定物の形状（凹凸）により縞模様がゆがんで見える。このゆがみをＣＣＤカメラからなるラインセンサ（検出器８）で観察する。被測定物表面を移動させながら観察することにより被測定物表面全体の凹凸を検出することができる。この方法によると、縞模様より得られる位置情報を画像処理することにより、被測定物の三次元形状を精度良く、かつ高速に測定することができる。その方法では、視野幅３５ｍｍでスキャン速度１０ｍｍ／ｓ、高さ分解能０．１４μｍ程度の測定が可能であり、上述の条件を満足している。
【００１３】
以下、本発明の一実施例について説明する。まず前工程として、半導体チップ１上に高さ２０μｍ程度のＡｕよりなる金属バンプ２を電解メッキ等により形成する。一方キャリア基板３上には、Ｗ／Ｎｉ／Ａｕ（１５μｍ／５μｍ／０．５μｍ程度）、Ｃｕ／Ｎｉ／Ａｕ（１２μｍ／５μｍ／０．３μｍ程度）等の金属層で構成された電極４を形成しておく。
【００１４】
電極４を形成したキャリア基板３表面に、斜め方向に配置したスリット光光源７からスリット光を照射する。その結果、キャリア基板３表面に縞模様が投影される。この縞模様を検出器８で観察し、位置情報と画像情報をコントローラ９で画像処理し、キャリア基板３の三次元形状を検出する。キャリア基板３表面にゴミなどの突起部６がある場合、突起部６の検出値〈高さ情報〉は、コントローラ９で予め設定された基準値と比較され、検出値が基準値を超える場合は、実装不適合と判断され、キャリア基板上のその位置を記憶する。コントローラ９によって制御されるマーキング機１０により、実装不適合の認識マークを付けることもできる。マーキングは、通常の半導体装置の製造装置に用いられる不良チップに不良マークを付ける場合のように、インクを吹き付けて行うことができる。マーキング位置は、実際に凹凸がある部分に設定することも、実装不適合部分を含む半導体チップ実装部分の中心に設定することもできる。
【００１５】
次にフリップチップ実装を行う。この実装工程では、カメラにより実装不適合の認識マークの有無を確認し、半導体チップが実装される部分に認識マークが有る場合は、その部分は半導体チップの実装は行わずにスキップし、認識マークが無い場合は、フリップチップボンダを用いて半導体チップを実装する。カメラにより実装不適合の認識マークの有無を確認する場合、カメラ倍率によるカメラ視野の調整により、半導体チップ実装部分を自由に拡大、縮小して感知できるので、前述のマーキングの位置は実際に凹凸がある部分でも、半導体チップ実装部分の中心でも自由に設定できる。また、マーキングを行わず、検出値が基準値を超える位置を記憶している場合は、記憶した位置に半導体チップを実装しないようにすればよい。
【００１６】
キャリア基板全体へ半導体チップを実装した後、表面に封止樹脂を塗布し、硬化させることによって、一括樹脂封止を行い、電気的試験等を行った後、封止樹脂５及びキャリア基板３を切断し、個々の半導体装置に個片化し、半導体装置を完成させる。
【００１７】
本発明の位相シフト法は、上記のようなゴミなどの突起部だけでなく、基板全体の凹凸を広範囲で検査することもできる。
【００１８】
このように接続不良が発生する可能性のある部分を実装工程前に認識することができるため、品質の良い半導体装置を形成することができる。
【００１９】
【発明の効果】
以上述べたように、本発明によれば、フリップチップ実装の際に妨げとなるキャリア基板自体の凹凸、ごみによる突起部などの凹凸を精度良く、かつ高速に検出することができ、不適合な部分が存在する場合は、その部分をスキップして実装作業を続けることができるので、高速で安定した半導体装置の組立工程を実現することができる。
【図面の簡単な説明】
【図１】本発明の実施の形態の説明図である。
【図２】本発明の製造方法の模式的なフローチャートである。
【図３】フリップチップ実装タイプ半導体装置の断面図である。
【符号の説明】
１：半導体チップ、２：金属バンプ、３：キャリア基板、４：電極、５：封止樹脂、６：突起部、７：スリット光光源、８：検出器、９：コントローラ、１０：マーキング機。
【図１】
2004158587.tif 000003
【図２】
2004158587.tif 000004
【図３】
2004158587.tif 000005